(57)【特許請求の範囲】
【請求項１】
島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される呼び出しランプ内に配備された制御基板を介し、リモコン操作により、あるいは、前記呼び出しランプを制御するホールコンピュータにおける操作により行われるパチンコ遊技機の傾斜度調節システムであって、
前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成り、
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びる固定板が前記パチンコ台枠の内天面に固定されることを特徴とするパチンコ遊技機の傾斜度調節システム。
【請求項２】
前記固定板は、裏面側からねじ込まれるネジの先端面が前記パチンコ台枠の内天面を強圧して負荷を与えることにより、前記パチンコ台枠の内天面に固定状態となる、請求項１に記載のパチンコ遊技機の傾斜度調節システム。
【請求項３】
前記一対の自動調節ユニットを個別に動作可能にした、請求項１又は２に記載のパチンコ遊技機の傾斜度調節システム。
【請求項４】
前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる、請求項１乃至３のいずれかに記載のパチンコ遊技機の傾斜度調節システム。
【請求項５】
前記自動調節ユニットは、前記パチンコ台枠の上辺を、予め数段階に設定された距離移動させるように制御される、請求項１乃至４のいずれかに記載のパチンコ遊技機の傾斜度調節システム。
【請求項６】
島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される呼び出しランプ内に配備された制御基板を介し、リモコン操作により、あるいは、前記呼び出しランプを制御するホールコンピュータにおける操作により行われるパチンコ遊技機の傾斜度調節システムであって、
前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成り、
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びるクランプ部材が前記パチンコ台枠の端部を挟持することにより、前記パチンコ台枠に固定されることを特徴とするパチンコ遊技機の傾斜度調節システム。
【請求項７】
前記一対の自動調節ユニットを個別に動作可能にした、請求項６に記載のパチンコ遊技機の傾斜度調節システム。
【請求項８】
前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる、請求項６又は７に記載のパチンコ遊技機の傾斜度調節システム。
【請求項９】
前記自動調節ユニットは、前記パチンコ台枠の上辺を、予め数段階に設定された距離移動させるように制御される、請求項６乃至８のいずれかに記載のパチンコ遊技機の傾斜度調節システム。
【発明の詳細な説明】
【技術分野】
【０００１】
本発明は、パチンコ遊技機の傾斜度調節システムに関するものであり、より詳細には、パチンコ遊技機を島枠に設置するに当たり、簡単な操作でその傾斜度を微調節し得ると共に、島枠に対してパチンコ遊技機を強固にロックしてその転倒を防止でき、設置にスペースを取らないパチンコ遊技機の傾斜度調節システムに関するものである。
【背景技術】
【０００２】
パチンコ遊技機は、島枠の内側に直接取り付けられるパチンコ台枠と、台枠内に設置されるパチンコ本体とで構成される。このパチンコ遊技機を島枠に設置するに当たっては、パチンコ本体と台枠とを切り離しておき、先に台枠を島枠内嵌め入れて固定し、その後、パチンコ本体を台枠にヒンジを用いて取り付ける。台枠の島枠への固定は、台枠を島枠内に概ね垂直となるように嵌め入れて、その上辺及び下辺を釘止め、ネジ止め等により島枠に固定することにより行われる。そして、パチンコ本体を台枠に設置した後、パチンコ本体の傾斜角度の調節が行われる。
【０００３】
このパチンコ本体の傾斜角度の調節を自動的に行うための傾斜度調節システムが、種々提案されている。例えば、特開２００６−１９２１５９号公報には、台枠の上辺又は下辺に噛み込んで、台枠の上辺又は下辺を水平方向に変位駆動するユニットが、島枠の上辺及び下辺のそれぞれに一対ずつ配置して成るパチンコ遊技機の取り付け装置が開示されている。
【０００４】
しかし、そこに開示されている装置の場合、各ユニットは、構成が複雑で組み立てに時間とコストがかかるだけでなく、パチンコ遊技機の傾斜度の微調節を簡単且つ迅速に行うという要請に応えることができないという問題がある。また、各ユニットを制御するためのコントロールボックスを、スペースに余裕がない島の上部の開閉自在な開口部位に配置しなければならない、という制約が伴うものであり、容易には設置し得ないという問題がある。
【０００５】
また、特開２００８−２８４２８０号公報には、島枠の下辺の中央部に駆動装置を配設し、パチンコ台枠に取り付けた角度検知装置からの検出角度信号に基づいて駆動装置が、パチンコ台枠の下辺を押し引き駆動してパチンコ台枠の傾斜を調節するパチンコ遊技機の設置角度自動調節装置が開示されている。しかし、この装置の場合は、パチンコ台枠の重量が集中する下辺部を押し引き駆動する構成であるために、大きな押し引き力が必要となるため、効率がよくないという問題がある。また、駆動装置とパチンコ台枠の下辺とが、単に駆動装置のネジ杆を介して連結されているだけであるので、パチンコ台枠の確固たる固定状態を確保することができないという問題もある。
【先行技術文献】
【特許文献】
【０００６】
【特許文献１】特開２００６−１９２１５９号公報
【特許文献２】特開２００８−２８４２８０号公報
【発明の概要】
【発明が解決しようとする課題】
【０００７】
上述したように、従来提案されているパチンコ遊技機の傾斜角度の自動調節装置の場合は、機構が複雑であるとか、微妙な調節が難しいとか、パチンコ台枠の確固たる保持が難しいとか、設置にスペースが必要とかいった問題があった。そこで本発明は、これらの問題のない、即ち、シンプルな構成で設置にスペースを要せず、遠隔操作によってパチンコ台枠の傾斜角度の微調整が可能であり、また、パチンコ台枠を確固と保持し得るパチンコ遊技機の傾斜度調節システムを提供することを課題とする。
【課題を解決するための手段】
【０００８】
上記課題を解決するための請求項１に係る発明は、島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される呼び出しランプ内に配備された制御基板を介し、リモコン操作により、あるいは、前記呼び出しランプを制御するホールコンピュータにおける操作により行われるパチンコ遊技機の傾斜度調節システムであって、
前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成り、
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びる固定板が前記パチンコ台枠の内天面に固定されることを特徴とするパチンコ遊技機の傾斜度調節システムである。
【０００９】
一実施形態においては、前記固定板は、裏面側からねじ込まれるネジの先端面が前記パチンコ台枠の内天面を強圧して負荷を与えることにより、前記パチンコ台枠の内天面に固定状態となる。
【００１０】
一実施形態においては、前記一対の自動調節ユニットは個別に動作可能にされる。
【００１１】
一実施形態においては、前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる。
【００１２】
一実施形態においては、前記自動調節ユニットは、前記パチンコ台枠の上辺を、予め数段階に設定された距離移動させるように制御される。
【００１３】
また、上記課題を解決するための請求項６に係る発明は、島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される呼び出しランプ内に配備された制御基板を介し、リモコン操作により、あるいは、前記呼び出しランプを制御するホールコンピュータにおける操作により行われるパチンコ遊技機の傾斜度調節システムであって、
前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成り、
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びるクランプ部材が前記パチンコ台枠の端部を挟持することにより、前記パチンコ台枠に固定されることを特徴とするパチンコ遊技機の傾斜度調節システムである。
【００１４】
一実施形態においては、前記一対の自動調節ユニットは個別に動作可能にされる。前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる。
【００１５】
一実施形態においては、前記自動調節ユニットは、前記パチンコ台枠の上辺を、予め数段階に設定された距離移動させるように制御される。
【発明の効果】
【００１６】
本発明は上記のとおりであって、本発明によれば、自動調節ユニットの遠隔操作が、パチンコ遊技機ごとに設置される既存の呼び出しランプ内に配備された制御基板を介し、リモコン操作により、あるいは、呼び出しランプを制御するホールコンピュータにおいて行うことを可能にしたので、遠隔操作用制御基板を設置するためのスペースを別途設ける必要がなく、設置が容易で、リモコン操作でパチンコ遊技機ごとに個別管理できるだけでなく、ホールコンピュータにおいて一括傾斜管理及び傾斜調整を行うことが可能となる効果がある。
【００１７】
また、自動調節ユニットの駆動にステッピングモータが用いられるために、パチンコ台枠の傾斜度の微調節を遠隔操作によって簡単に行うことが可能となり、殊に、パチンコ台枠の上辺を、予め数段階に設定された距離移動させるように制御することで、リモコン操作等により、微妙な傾斜度調節を効率よく画一的に行うことが可能となる効果がある。
【図面の簡単な説明】
【００１８】
【図１】本発明に係るパチンコ遊技機の傾斜度調節システムの第１の実施形態の構成を示す部分断面図である。
【図２】本発明に係るパチンコ遊技機の傾斜度調節システムの第２の実施形態の構成を示す部分断面図である。
【図３】本発明に係るパチンコ遊技機の傾斜度調節システムの第３の実施形態の構成を示す部分断面図である。
【図４】本発明に係るパチンコ遊技機の傾斜度調節システムの第４の実施形態の構成を示す部分断面図である。
【図５】本発明に係るパチンコ遊技機の傾斜度調節システムの制御系統の構成を示す概略構成図である。
【図６】高さ８１０ｍｍのパチンコ台枠における、１度の傾斜寸法値と○分○厘の比較表示を示す説明図である。
【発明を実施するための形態】
【００１９】
本発明を実施するための形態について、添付図面に依拠して説明する。本発明に係るパチンコ遊技機の傾斜度調節システムは、島枠５１に設置されるユニット本体と、先端部が島枠５１内に収まったパチンコ台枠４１の上辺に固定され、その固定状態のまま進退してパチンコ台枠４１の上辺を島枠５１内において前後動させる作動部と、ユニット本体に配備されていて作動部を進退させる駆動部とから成る自動調節ユニットが、パチンコ台枠４１の上辺左右に一対配置されて成る。
【００２０】
各自動調節ユニットは遠隔操作され、パチンコ台枠４１の傾斜角度を予め設定した角度に調節可能であり、前記遠隔操作が、パチンコ遊技機ごとに設置される呼び出しランプ内に配備された制御基板を介し、リモコン操作により、あるいは、呼び出しランプを制御するホールコンピュータにおける操作により行われる。
【００２１】
先ず、本システムにおける自動調節ユニットの構成について説明する（図１〜図４参照）。第１の実施形態における自動調節ユニットは、複数のギアで構成されるギア組（図示省略）が組み込まれていて島枠５１に設置されるギアボックス１と、ギアボックス１に付設されてギア組を回転駆動するステッピングモータ２と、中間部にネジ部を有していてギア組に噛合することにより軸方向に進退駆動されるネジ杆３を備え、ギアボックス１は、島枠５１にギアボックス用ベース６１を介して設置される。
【００２２】
ギアボックス用ベース６１はクランク形状で、その前半部が島枠５１の内天面に取り付けられ、その後半部にギアボックス１から水平に伸びる連結板６２が固定されることで、ギアボックス１が島枠５１に固定状態となる。そして、連結板６２の裏面にスライドガイド６３が設置され、このスライドガイド６３により、ネジ杆３の先端に取り付けられたスライド板６４が摺動可能に支持される。例えば、スライドガイド６３は水平方向に伸びる一対の溝を有するものとし、スライド板６４の上辺にその溝に係合する翼部を設けることとする。
【００２３】
スライド板６４は、その底部に設置されるブラケット６５を介して、先端部がパチンコ台枠４１の内天面に固定される作用部に連結される。作用部は、ブラケット６５に連結される係止板６７と、係止板６７から水平方向に伸びる固定板６９とから成り、係止板６７には縦長孔６８が突設され、そこに、ブラケット６５の先端部に横向きに配設された係止ピン６６が摺動自在に係合する。作用部は、その固定板６９がパチンコ台枠４１の内天面の切除部４２に留め付けられることで、パチンコ台枠４１に固定状態となる。
【００２４】
ギアボックス１内には、ネジ杆３の回転角、即ち、駆動ギア１７に一体の軸筒に設けた連結フランジ７０の回転角を検出するためのフォトインタラプタ３１が配備される。フォトインタラプタ３１は、駆動ギア１７にその周縁に沿って形成される小穴１７ａの数を検出することによって、駆動ギア１７の回転角を検出し、その回転角に基づいてネジ杆３の移動量が換算される。フォトインタラプタ３１によって検出された駆動ギア１７の回転角データに基づいてステッピングモータ２が制御されることで、パチンコ台枠４１の傾斜度調節が行われる。
【００２５】
この第１の実施形態の場合は、ステッピングモータ２が作動することでネジ杆３が進退動作し、それに伴いスライド板６４並びにブラケット６５がスライドガイド６３に支持されて水平方向に進退動作する。このブラケット６５の動きは、その先端部の係止ピン６６を介して係止板６７に伝達され、係止板６７が水平方向に押し引きされるが、係止ピン６６が縦長孔６８に係合している関係で、パチンコ台枠４１は、その底辺を軸に円弧状に押し引き可能となり、以て、その傾斜度の調節が可能となる。
【００２６】
この第１の実施形態の場合は、作用部の固定板６９をビス止め等によりパチンコ台枠４１の内天面に留め付ける構成であるため、パチンコ台枠４１に対する固定状態が強固となる。また、島枠５１に対してスライドガイド６３を、直接ではなく、ギアボックス用ベース６１を介して設置することとしているので、パチンコ台枠４１上部の厚みにばらつきがあっても（メーカーによって均一ではない）、問題なく対応可能となる。
【００２７】
図２に示す第２の実施形態は、第１の実施形態の変形例で、その場合の固定板６９は、裏面側からねじ込まれる負荷ネジ７１の先端面がパチンコ台枠４１の内天面を強圧して負荷を与えることにより、パチンコ台枠４１の内天面に固定状態となる。また、図３に示す第３の実施形態は、第２の実施形態の変形例で、パチンコ台枠４１の内天面をより安定的に且つ確実に強圧できるように、係止板６７の上面に補助板７２を定着し、補助板７２をパチンコ台枠４１の天面に当接させて、パチンコ台枠４１の端部を挟持する状態にしたものである。
【００２８】
図４に示す第４の実施形態は、係止板６７から前方に伸びるクランプ部材７３，７４がパチンコ台枠４１の端部を挟持することにより、パチンコ台枠に固定されるようにしたものである。クランプ部材７３，７４は、両者間に跨る締付ネジ７５を締め上げていくことにより、パチンコ台枠４１の天面に当接するクランプ部材７３がパチンコ台枠４１の内天面に当接するクランプ部材７４に引き寄せられることで、パチンコ台枠４１の端部がクンプ部材７３，７４により強く挟持される。
【００２９】
この場合、必要に応じ、締付ネジ７５の他に、パチンコ台枠４１の端部を貫いて、クランプ部材７３，７４を連結する咥え込みピン７６を配することとする。
【００３０】
なお、ステッピングモータ２の回転数とパチンコ台枠４１の傾斜度との関係を予めデータ化して保存しておき、そのデータに基づいてステッピングモータ２の回転を制御することにより、パチンコ台枠４１の傾斜度を調節する。このデータは、後述する段階制御において利用される。
【００３１】
図５は、本発明に係る傾斜度調節システムの全体構成を示す概略図である。この構成においては、各パチンコ遊技機の自動調節ユニットが具備するフォトインタラプタ３１からの信号を基に、各ステッピングモータ２の動作を制御するためのＣＰＵ３３を備えた制御基板３２が呼出しランプ３４内に配備されている。そして、各ステッピングモータ２が所定量回転し、ネジ杆３を進退駆動してパチンコ台枠４１を前後動させることで、その傾斜度の自動調節が可能となる。
【００３２】
本傾斜度調節システムは、基本的にはパチンコ遊技機ごとに管理可能に構成され、管理者の所持するリモコン３５の操作により動作するが、遊技施設全体を管理するホールコンピュータ３６において集中管理可能に構成することもできる。その場合は管理室内においてホールコンピュータ３６を操作することで、各パチンコ遊技機の呼び出しランプ３４内に装備されている制御基板３２を介し、本傾斜度調節システムを動作させることができ、各パチンコ遊技機の一括傾斜管理及び傾斜調整を行うことが可能となる。
【００３３】
なお、各パチンコ遊技機の一対の自動調節ユニットは、同期させて同一の調節動作を行うように構成することもできるが、個別に調節動作可能に構成することが好ましい。そのようにした場合は、各自動調節ユニットにおけるネジ杆３の進退量を変えることで、パチンコ台枠４１のねじれを調整することが可能となる。
【００３４】
図６は、高さ８１０ｍｍのパチンコ台枠４１における、１度の傾斜寸法値と○分○厘の比較表示を示すものであり、そこに示されているように、１度傾斜させた場合の寸法（上端の移動量）は４分７厘（１４．１ｍｍ）となる。かかるデータに基づき、一実施形態においては、３分、３分５厘、４分、４分５厘、４分７厘の５段階制御とされる。    
【００３５】
このような５段階制御を可能にするためには、パチンコ台枠４１の上端部がこのような５段階の距離移動するように制御する必要があるが、その制御のために、パチンコ台枠４１の上端部と一体に移動するネジ杆３の移動量を決定するステッピングモータ２の回転量を、予め５段階に設定し、リモコン操作等により選択可能にする。このようにすることにより、効率よく画一的に傾斜度調節を行うことが可能となる。そして、更に微調整する場合は、この５段階のいずれかの傾斜からの微量移動により行うことができる。
【００３６】
本発明に係る傾斜度調節システムは、上記いずれの実施形態においてもシンプルな構成で、既存の呼び出しランプを利用することで、場所を取らずに簡単に設置でき、リモコン操作等により、微妙な傾斜度調節を効率よく画一的に行うことが可能となる。また、リモコン操作でパチンコ遊技機ごとに個別管理できるだけでなく、ホールコンピュータ３６において一括傾斜管理及び傾斜調整を行うことが可能となるもので、産業上の利用性は大である。
【符号の説明】
【００３７】
１        ギアボックス
２        ステッピングモータ
３        ネジ杆
３１      フォトインタラプタ
３２      制御基板
３３      ＣＰＵ
３４      呼出しランプ
３５      リモコン
４１      パチンコ台枠
５１      島枠
６１      ギアボックス用ベース
６２      連結板
６３      スライドガイド
６４      スライド板
６５      ブラケット
６６      係止ピン
６７      係止板
６８      縦長孔
６９      固定板
７０      連結フランジ
７１      負荷ネジ
７２      補助板
７３      クランプ部材
７４      クランプ部材
７５      締付ネジ
７６      咥え込みピン
【図１】
0006196006.tif 000002
【図２】
0006196006.tif 000003
【図３】
0006196006.tif 000004
【図４】
0006196006.tif 000005
【図５】
0006196006.tif 000006
【図６】
0006196006.tif 000007